(57)【要約】      （修正有）【課題】着脱作業が容易で、人の手に触れにくい場所でありながら席番表示が人から見え易い席番プレートを備え、しかも、スタッキングに影響を与えることなく、製造コストも抑えることのできる席番表示付椅子を提供する。【解決手段】椅子の座体１１は、着座面１１ａと、着座面１１ａの周りを囲むように樹脂成型された側板４１から形成され、席番プレートホルダー５０は、側板４１の後側を形成する椅子の後脚から後側に突出するように設けられた後側板４１ａの中央（左右方向の中央）箇所に、略水平方向に移動するだけのワンタッチ作業にて、ほぼ水平状に着脱自在に取り付けられている。【選択図】図２
2013172914.tif 000002
【特許請求の範囲】
【請求項１】
着座面を有する座体の後側であって、スタッキングに影響しない領域に、席番表示部材が着脱自在に取り付けられていることを特徴とする席番表示付椅子。
【請求項２】
前記席番表示部材は、その席番表示の表示面がほぼ水平状に配置されていることを特徴とする請求項１に記載の席番表示付椅子。
【請求項３】
前記席番表示部材は、前記座体側に略水平移動したときに該座体の所定部位と係合し、該席番表示部材を該座体に係止する係止部材を備えていることを特徴とする請求項１又は請求項２に記載の席番表示付椅子。
【請求項４】
前記座体は、前記着座面の外縁に周設される側板を備え、該側板の後側は、少なくともその背面から下方に凸状に突出する係合片を備えた後側板として構成され、
前記席番表示部材は、前記後側板を嵌合可能な上面板、下面板及び該上面板と該下面板を連結する側面板からなる縦断面略コの字状の嵌合部材として形成され、前記下面板は、その内面から上方に凸状に突出する突起部材を備え、
前記席番表示部材を前記座体側に略水平移動したとき、前記係合片に前記突起部材が係止し、前記上面板と前記下面板とで前記後側板を挟み込むような状態で前記嵌合部材が前記後側板に嵌合することで、前記席番表示部材が前記座体に取り付けられること
を特徴とする請求項１乃至請求項３の何れか１項に記載の席番表示付椅子。
【請求項５】
前記後側板は、さらに、前記係合片と所定間隔離れた位置に、その背面から下方に凸状に突出する第２係合片を備え、
前記席番表示部材は、少なくともその一部が弾性部材で形成され、
該席番表示部材を前記座体側に略水平移動したとき、前記下面板は、前記後側板から下方に押圧されて弾性変形することにより、前記突起部材が前記係合片と前記第２係合片との間で係止し、且つ、その内面が前記第２係合片の底面と当接すること
を特徴とする請求項４に記載の席番表示付椅子。
【請求項６】
前記座体は、その背面が、前記係合片又は前記第２係合片を含んだ上下方向にのみ凸凹のある形状に樹脂成型されていることを特徴とする請求項４又は請求項５に記載の席番表示付椅子。
【請求項７】
前記席番表示部材は、席番プレートホルダーと、該席番プレートホルダーに挿脱自在の席番プレートとから構成されていることを特徴とする請求項１乃至請求項６の何れか１項に記載の席番表示付椅子。
【発明の詳細な説明】
【技術分野】
【０００１】
本発明は、ホール等で多数配列して使用される席番表示付椅子に関する。
【背景技術】
【０００２】
従来、ホール等で多数配列して使用される椅子には、席の場所や順序等を明らかにするため、席毎に席番を表示するようになっている。この席番表示は、椅子の背もたれの上面や背面等に席番プレートを固着していたが、多目的に使用されるホール等では、イベント内容に応じて椅子の配列がその都度変わることが多く、このように席番プレートが固着された椅子では、規定の席順で椅子を設置する際、所定の席番の椅子を探し出さなければならず、大変煩わしい作業となっていた。
【０００３】
そこで、このような煩わしい作業を解消するため、特許文献１に示すように、席番プレートを椅子から着脱できる技術が提案されている。椅子から席番プレートが着脱できれば、椅子を設置してから、規定の席順になるよう、席番プレートを後から椅子に取り付ければよく、これにより作業効率を大幅に改善することができ、好適となる。
【０００４】
特許文献１の技術は、背もたれの下縁枠の後方へ突出する突条の下面に上向きの係合孔を設け、若しくは下面に上向きの係合孔を有する横長の取付杆を背もたれの裏面に突設し、又は背もたれの上縁枠の上面に下向きの係合孔を設け、これらの係合孔に席番プレートを係止した後回動させることで、椅子に席番プレートを着脱できるように構成されている。
【先行技術文献】
【特許文献】
【０００５】
【特許文献１】実開平７−１１９４７号公報
【発明の概要】
【発明が解決しようとする課題】
【０００６】
ところで、ホール等で多数配列して使用される椅子は、収納効率向上のため、座体の上面及び背もたれの前面に、他の椅子の座体の裏面及び背もたれの背面が重合して上方に積み上がる、複数の椅子を順次スタッキング可能としたものが用いられている。
【０００７】
しかしながら、上記特許文献１の技術では、席番プレートが背もたれの後方へ突出しているので、椅子を積み重ねたときに席番プレートが邪魔になってスタックピッチが大きくなり、その結果、椅子をたくさん積み上げることができず、収納効率が低下するという問題点がある。また、席番プレートを椅子に取り付けた状態では、席番プレートの席番表示面が傾斜状に配置されるので、特に立っている人からは、席番表示が見え辛いという問題点もある。
【０００８】
また、席番プレートを椅子に取り付けるには、係合孔に席番プレートを係止した後回動させるという２段階方式で煩わしい作業となり、さらに、席番プレートが背もたれに取り付けられているので、椅子を移動するとき等に、席番プレートを持ったり、握ったりして人の手に触れ易く、その結果、席番プレートが椅子から外れたり壊れたりしてしまうという問題点もある。
【０００９】
加えて、背もたれが樹脂で形成されている場合には、製造時の金型割り方向は、背もたれ面に対して垂直方向（椅子の前後方向）になるが、背もたれに上記したような上向き又は下向きの係合孔を形成するには、金型割り方向と直交する方向（椅子の上下方向）に当該金型のスライド機構が必要となり、その結果、製造コストが上昇し不経済になるという製造上の問題点もある。
【００１０】
本発明は、上記した問題点に鑑みなされたもので、その目的とするところは、着脱作業が容易で、人の手に触れにくい場所でありながら席番表示が人から見え易い席番プレートを備え、しかも、スタッキングに影響を与えることなく、製造コストも抑えることのできる席番表示付椅子を提供することにある。
【課題を解決するための手段】
【００１１】
このような問題を解決するために、本発明の席番表示付椅子（椅子１）は、請求項１に記載したように、着座面（着座面１１ａ）を有する座体（座体１１）の後側であって、スタッキングに影響しない領域に、席番表示部材（席番プレートホルダー５０）が着脱自在に取り付けられていることを要旨とする。
【００１２】
着座面を有する座体の後側は、椅子をスタッキングした場合であっても、他の椅子と干渉しない（接触しない）位置である。そして本発明は、この座体の後側で、席番表示部材がスタッキングに影響しない領域に取り付けられている。従って、このように構成される本発明においては、椅子に席番表示部材が取り付けられている状態であっても、椅子のスタッキング機能に支障することがなく、その結果、収納効率が低下することがない。
【００１３】
さらに、席番表示部材が座体の後側に取り付けられているので、椅子を移動するとき等に、席番表示部材を持ったり、握ったりして人の手に触れることが殆どなく、その結果、席番表示部材が椅子から外れたり壊れたりすることがない。
【００１４】
なお、スタッキングとは、座体の上面及び背もたれの前面に、他の椅子の座体の裏面及び背もたれの背面が重合して、椅子が上方に順次積み上がることをいう。
ところで、席番表示部材はどのような状態で配置されると、席番表示が人から見易くなるかが問題となるが、これは次のようにするとよい。即ち、請求項２に記載の発明は、請求項１に記載の席番表示付椅子において、前記席番表示部材（席番プレートホルダー５０）は、その席番表示の表示面がほぼ水平状に配置されていることを要旨としている。
【００１５】
従って、このように構成される本発明においては、席番表示の表示面がほぼ水平状に配置されるので、その結果、例えば席番表示の表示面が傾斜状に配置される場合に比して、特に立っている人から席番表示が極めて見え易くなる。
【００１６】
また、席番表示部材を椅子に取り付ける作業若しくは取り外す作業は、簡単なほど好ましく、これは次のようにするとよい。即ち、請求項３に記載の発明は、請求項１又は請求項２に記載の席番表示付椅子において、前記席番表示部材（席番プレートホルダー５０）は、前記座体（座体１１）側に略水平移動したときに該座体の所定部位と係合し、該席番表示部材を該座体に係止する係止部材（突起７３）を備えていることを要旨としている。
【００１７】
従って、このように構成される本発明においては、席番表示部材を略水平方向に移動するだけのワンタッチ作業で座体に係止することができるので、席番表示部材の椅子への着脱作業が極めて容易となり、その結果、多目的に使用されるホール等で規定の席順で椅子を設置する作業や、逆に席番表示部材を椅子から取り外す作業の効率が極めてよくなる。
【００１８】
ここで、請求項３に記載の発明を具体的に実現する手段としては、次のようにするとよい。即ち、請求項４に記載の発明は、請求項１乃至請求項３の何れか１項に記載の席番表示付椅子において、前記座体（座体１１）は、前記着座面（着座面１１ａ）の外縁に周設される側板（側板４１）を備え、該側板の後側は、少なくともその背面から下方に凸状に突出する係合片（第１係合片４３）を備えた後側板（後側板４１ａ）として構成され、前記席番表示部材（席番プレートホルダー５０）は、前記後側板を嵌合可能な上面板（上面板６０）、下面板（下面板７０）及び該上面板と該下面板を連結する側面板（連結板８０）からなる縦断面略コの字状の嵌合部材（席番プレートホルダー５０）として形成され、前記下面板は、その内面（内面７０ａ）から上方に凸状に突出する突起部材（突起７３）を備え、前記席番表示部材を前記座体側に略水平移動したとき、前記係合片に前記突起部材が係止し、前記上面板と前記下面板とで前記後側板を挟み込むような状態で前記嵌合部材が前記後側板に嵌合することで、前記席番表示部材が前記座体に取り付けられることを要旨としている。
【００１９】
従って、このように構成される本発明においては、席番表示部材を略水平方向に移動するだけのワンタッチ作業で、席番表示部材の突起部材が座体の後側板の係合片に係止し、この後側板を席番表示部材の上面板と下面板とで挟み込むような状態で嵌合するので、簡単な構成で席番表示部材を座体に取り付けることができ、その結果、請求項３に記載の発明を容易に実現することができる。
【００２０】
また、請求項４に記載の席番表示付椅子をさらに発展させた構成として、次のようにしてもよい。即ち、請求項５に記載の発明は、請求項４に記載の席番表示付椅子において、前記後側板（後側板４１ａ）は、さらに、前記係合片（第１係合片４３）と所定間隔離れた位置に、その背面から下方に凸状に突出する第２係合片（第２係合片４５）を備え、前記席番表示部材（席番プレートホルダー５０）は、少なくともその一部が弾性部材で形成され、該席番表示部材を前記座体（座体１１）側に略水平移動したとき、前記下面板（下面板７０）は、前記後側板から下方に押圧されて弾性変形することにより、前記突起部材（突起７３）が前記係合片と前記第２係合片との間で係止し、且つ、その内面（内面７０ａ）が前記第２係合片の底面（底面４５ｃ）と当接することを要旨としている。
【００２１】
従って、このように構成される本発明においては、席番表示部材を略水平方向に移動するだけのワンタッチ作業であっても、席番表示部材の弾性変形により、席番表示部材の突起部材が座体の後側板の係合片と第２係合片との間で係止し、且つ、席番表示部材の下面板の内面が第２係合片の底面と当接するので、つまり、突起部材以外にも、下面板の内面と後側板（第２係合片）の底面との摩擦力が働き、その結果、席番表示部材を座体により強固且つ確実に取り付けることが可能になる。
【００２２】
ところで、座体が樹脂成型されている場合には、製造時の金型割り方向は、着座面に対して椅子の上下方向になるが、席番表示部材を取り付けるために座体の後側板の背面形状を複雑にすると、金型のスライド機構等が必要となって不経済となるので、これは次のようにするとよい。即ち、請求項６に記載の発明は、請求項４又は請求項５に記載の席番表示付椅子において、前記座体（座体１１）は、その背面が、前記係合片又は前記第２係合片を含んだ上下方向にのみ凸凹のある形状に樹脂成型されていることを要旨としている。
【００２３】
従って、このように構成される本発明においては、席番表示部材を座体に取り付ける場合であっても、座体を金型のスライド機構等の設備は必要なく樹脂成型することができるので、その結果、製造コストが安価にすみ経済的となる。
【００２４】
ここで、席番表示部材は、一体的に構成されていてもよいが、次のようにしてもよい。即ち、請求項７に記載の発明は、請求項１乃至請求項６の何れか１項に記載の席番表示付椅子において、前記席番表示部材は、席番プレートホルダー（席番プレートホルダー５０）と、該席番プレートホルダーに挿脱自在の席番プレート（席番プレート９０）とから構成されていることを要旨としている。このように席番表示部材を、席番プレートホルダーと席番プレートとに分けて構成すれば、これらを種々組み合わせることにより、椅子のデザインに合わせて様々な意匠の席番表示部材を取り付けることができる。また、席番表示部材を椅子に取り付けたまま席番プレートを交換できるので、席数や配列構成に合わせて、適宜列番号や席番号に変えた席番表示が可能になる。
【図面の簡単な説明】
【００２５】
【図１】本実施形態に係わる椅子１を左上斜め後方から見た全体斜視図である。
【図２】本実施形態に係わる椅子１の三面図（正面図、平面図、右側面図）である。
【図３】本実施形態に係わる図２（右側面図）における椅子１のＡ−Ａ断面の詳細図である。
【図４】本実施形態に係わる図２（平面図）における椅子１のＣ−Ｃ断面のスタッキング状態を説明する説明図である。
【図５】本実施形態に係わる席番プレートホルダー５０の六面図（正面図、平面図、底面図、左側面図、右側面図、背面図）である。
【図６】本実施形態に係わる図５（正面図）における席番プレートホルダー５０のＡ−Ａ断面図、及び図５（右側面図）における席番プレートホルダー５０のＢ−Ｂ断面図である。
【図７】本実施形態に係わる席番プレートホルダー５０を座体１１の後側板４１ａに取り付けるときの状態を説明する説明図である。
【図８】他の実施形態の上面板６０Ａ、６０Ｂ、６０Ｃを用いた席番プレートホルダー５０Ａ、５０Ｂ、５０Ｃの平面図である。
【発明を実施するための形態】
【００２６】
１．椅子１の全体構成
以下に、本発明を実施するための形態を図と共に説明する。まず、図１〜３を参照しながら、椅子１の全体構成について説明する。本実施形態の椅子１は、図１、２に示すように、使用者が着席する着座面１１ａを有する樹脂製の座体１１と、背もたれ１３と、座体１１及び背もたれ１３を支持する金属製の脚部材１５を備えている。なお、図１は、本実施形態に係わる椅子１を左上斜め後方から見た全体斜視図であり、図２は、本実施形態に係る椅子１の三面図（正面図、平面図、右側面図）である。
【００２７】
脚部材１５は、着席者から見て左側に配置される左フレーム２１と、右側に配置される右フレーム２３と、左フレーム２１と右フレーム２３を連結する前後の架橋部２５、２７からなる。左右のフレーム２１、２３は、金属製のパイプを曲げ加工して形成されるものであり、床面に接触する底部や座体１１及び背もたれ１３を支持する支持部などを有する。なお、右フレーム２３と左フレーム２１は、左右対称の形状となっており、また、左フレーム２１と右フレーム２３の間隔は、椅子１のスタッキング（後述の図４参照）が可能なように、左右の前フレームの幅よりも左右の後フレームの幅の方が広く形成されている。
【００２８】
座体１１は、その着座面１１ａが防炎処理されたポリエステルメッシュからなり、座体１１の外縁には、着座面１１ａの周りを囲むように樹脂成型された側板４１が形成されている。座体１１は、平面視したとき略矩形の板状に形成され、その後端部を形成する後側板４１ａの左右方向の略中央箇所（後述の席番プレートホルダー５０が取り付けられる箇所）が、左右のフレーム２１、２３の後脚から所定区間（ほぼ後側板４１ａの幅）だけ突出するようになっている。そして、座体１１は、その後端部から前端部に向かって僅かに上り勾配の傾斜面が延在されると共に、その前端部は下方向に垂れ下がるようになっており、右側面視したとき略「へ」の字状に形成されている。
【００２９】
なお、座体１１の側板４１の下側には、左右のフレーム２１、２３の架橋部２５、２７や支持部が対向するように位置しており、側板４１と左右のフレーム２１、２３を図示しない固定手段にて固定することにより、座体１１は、脚部材１５に固着されるようになっている。また、後側板４１ａの左右両端には、固定部３１が設けられており、この固定部３１は、後述する背もたれ１３の支柱３７と連結されるようになっている。
【００３０】
ここで、図３の図２（右側面図）における椅子１のＡ−Ａ断面の詳細図に示すように、座体１１の左右のフレーム２１、２３の後脚から突出している後側板４１ａの中央（左右方向の中央）箇所には、席番プレートホルダー５０が着脱自在に取り付けられている。この席番プレートホルダー５０が取り付けられている後側板４１ａの領域は、図４に示すように、椅子１をスタッキングした場合であっても、他の椅子の座体の裏面と干渉しない（接触しない）位置となっている。なお、図４は、本実施形態に係わる図２（平面図）における椅子１のＣ−Ｃ断面のスタッキング状態を説明する説明図である。また、図４においては、後側板４１ａの断面は、説明容易のため模式的に記載され、後述の図７とは相違したものとなっている。なお、席番プレートホルダー５０の構成や取り付け状態等については、後に詳述する。
【００３１】
背もたれ１３は、使用者の背中に合わせて円弧状に湾曲された背もたれ部１３ａを有し、その上端には、背もたれ部１３ａから後方に突出する板状の上板３３が突設され、これにより背もたれ部１３ａの上方において、背もたれ部１３ａと上板３３で囲まれる一条の溝状の上空間３５を形成している。
【００３２】
背もたれ部１３ａの左右下端には、支柱３７が下向きに延びて立設され、座体１１の後側板４１ａの左右の固定部３１と連結されている。背もたれ部１３は、この固定部３１及び支柱３７の内部を通る左右のフレーム２１、２３の支持部と、図示しない固定手段にて固定することにより、脚部材１５に固着されるようになっている。そして、背もたれ部１３ａの下方には、背もたれ部１３ａ、支柱３７及び座体１１で囲まれる、上空間３５より大きな下空間３９が形成されている。これら上空間３５と下空間３９は、椅子１を移動するとき等に人が手を差し込んだりして利用されるようになっている。なお、背もたれ１３を構成する背もたれ部１３ａ、支柱３７及び上板３３は、樹脂成型で形成されている。
【００３３】
２．席番プレートホルダー５０の構成
次に、席番プレートホルダー５０の構成について、図５を参照しながら説明する。図５は、席番プレートホルダー５０の六面図（正面図、平面図、底面図、左側面図、右側面図、背面図）である。席番プレートホルダー５０は、合成樹脂等の弾性部材で成型され、席番プレート９０が挿入されると共に、座体１１の後側板４１ａに着脱自在に取り付けられて、椅子１の席番を表示する機能を有する。なお、席番プレートホルダー５０は、後述する後側板４１ａの形状に合わせて、適宜設計されるものである。
【００３４】
席番プレートホルダー５０は、右側面視したとき略「コ」の字状に形成され、上面を形成する上面板６０と、下面を形成する下面板７０と、上面板６０と下面板７０を連結する連結板８０を有し、これら上面板６０、下面板７０及び連結板８０は、それぞれ矩形板状に形成されている。
【００３５】
上面板６０は、下面板７０及び連結板８０よりも肉厚の水平状に形成され、右側面側に席番プレート９０を挿入するための挿入口６１が穿設されている。また、上面板６０の表面側には、図５の平面図及び図６の断面図に示すように、切欠凹部６３が形成されている。切欠凹部６３は、平面視したとき席番プレート９０よりも一回り小さく形成された矩形窓状の開口であって、これにより席番プレート８０の席番表示を視認することができるようになっている。なお、図６は、図５（正面図）における席番プレートホルダー５０のＡ−Ａ断面図、及び図５（右側面図）における席番プレートホルダー５０のＢ−Ｂ断面図である。また、上面板６０の内面側は、後側板４１ａの後述の基板４７と当接する内面６０ａとなっている。
【００３６】
下面板７０は、上面板６０の略半分の肉厚に形成され、且つ、上面板６０よりも椅子１の前後方向に長く形成されている。つまり、下面板７０は、その左右方向の長さは上面板６０と整合しており、その前後方向の長さは上面板６０の略２倍程度の長さに形成されている。下面板７０の前端には、左右全長に渡って短小の誘導片７１が下方向に垂れ下がるように形成され、一方下面板７０の後端の近傍であって、左右両端付近を除く所定区間には、席番プレートホルダー５０の内部上方側に向かって突出する略蒲鉾状の突起７３が一連状に突設されている。
【００３７】
さらに、下面板７０は、その後端部から前端部に向かって僅かに上り勾配の傾斜面が延在されており、即ち、誘導片７１は、この傾斜面の終端から下方向に垂れ下がるように形成され、突起７３は、この傾斜面の始端近傍に突設されていることになる。図中、９３は、上面板６０と下面板７０とで形成される開口であり、この開口９３から、席番プレートホルダー５０を後側板４１ａに取り付けるようになっている。なお、下面板７０の内面側は、後側板４１ａの後述の第１係合片４３及び第２係合片４５と当接する内面７０ａとなっている。
【００３８】
後に詳述するが、席番プレートホルダー５０を座体１１の後側板４１ａに取り付ける際、誘導片７１は、席番プレートホルダー５０の間口を広げて取り付け易いようにするための機能を有し、突起７３は、後側板４１ａの後述の第１係合片４３と係合して席番プレートホルダー５０を係止する機能を有している。そして下面板７０が、上記したように上面板６０よりも薄く、且つ長い形状に形成された傾斜面としている一因は、これら誘導片７１及び突起７３の作用により弾性変形し易いようにするためである。
【００３９】
連結板８０は、ほぼ上面板６０と同じ肉厚に形成され、上面板６０の後端と下面板７０の後端を連結するように形成されている。つまり、連結板８０は、その左右方向の長さは上面板６０及び下面板７０と整合しており、その高さは座体１１の後側板４１ａの高さとほぼ一致している。
【００４０】
即ち、連結板８０は、後に詳述するが、席番プレートホルダー５０を座体１１の後側板４１ａに取り付ける際、席番プレートホルダー５０の内形状が後側板４１ａの外形状と略一致するように、上面板６０及び下面板７０の後端同士を連結しており、連結板８０が前寄りに傾斜しているのは（上面板６０よりも下面板７０の後端が後ろ側に位置するのは）、後側板４１ａが同様の傾斜面（後述の第１係合片４３）を有しているからである。図中、８３は、下面板７０と連結板８０の連結箇所となる連結部であり、この連結部８３は、後に詳述するが、下面板７０が下方に弾性変形するときの支点となる箇所である。なお、連結板８０の内面側は、後側板４１ａの後述の第１係合片４３と当接する内面８０ａとなっている。
【００４１】
３．席番プレートホルダー５０の着脱
次に、席番プレートホルダー５０を座体１１の後側板４１ａに、着脱自在に取り付ける場合について図７を参照しながら説明する。図７は、席番プレートホルダー５０を座体１１の後側板４１ａに取り付けるときの状態を説明する説明図である。なお、図７においては、席番プレートホルダー５０及び後側板４１ａは、図３におけるＢ−Ｂ断面で示されている。ここで、まず、後側板４１ａの構成について説明する。
【００４２】
後側板４１ａは、図７に示すように断面略「横Ｆ」字状に形成され、水平板状の基板４７と、基板４７の後端に設けられる第１係合片４３と、基板４７の略中程に設けられ、第１係合片４３と所定間隔離れた第２係合片４５を有している。第１係合片４３は、基板４７から斜め下向きに延在し、連結板８０の内面８０ａ及び下面板７０の内面７０ａと当接する外側面４３ａ及び底面４３ｃと、突起７３と係合する内側面４３ｂを有している。なお、第１係合片４３の底面４３ｃは、席番プレートホルダー５０の突起７３と対称状の略逆蒲鉾状に形成されている。この理由は、後述する。
【００４３】
第２係合片４５は、基板４７から垂直下向きに延在し、下面板７０の内面７０ａと当接する底面４５ｃを有している。なお、基板４７は、その上面が、上面板６０の内面６０ａと当接する外面４７ａとなっている。即ち、後側板４１ａは、席番プレートホルダー５０が取り付けられる際、基板４７の外面４７ａと、第１係合片４３の外側面４３ａ及び底面４３ｃと、第２係合片４５の底面４５ｃが、席番プレートホルダー５０の内面６０ａ、７０ａ、８０ａとそれぞれ当接し、第１係合片４３の内側面４３ｂが、席番プレートホルダー５０の突起７３と係合するようになっている。
【００４４】
後側板４１ａは、上記したように構成されており、側板４１全体も、後側板４１ａと同様に構成されている。従って、着座面１１ａと、着座面１１ａに周設された側板４１からなる樹脂成型された座体１１は、製造時の金型割り方向は、図２（右側面図）の矢印Ｖに示すように着座面１１ａに対して垂直方向（椅子１の上下方向）になり、席番プレートホルダー５０を取り付ける場合であっても、何らその他の方向に対する当該金型のスライド機構は必要なく成型することができるので、その結果、製造コストが安価にすむ。
【００４５】
このように構成される後側板４１ａに席番プレートホルダー５０を取り付けるには、まず、席番プレートホルダー５０を、後側板４１ａに対して、図７（Ａ）の矢印Ｄに示すように略水平方向に移動させて、席番プレートホルダー５０の開口９３に第１係合片４３を嵌合させる。席番プレートホルダー５０には誘導片７１が設けられ、これにより席番プレートホルダー５０の間口が広くなっているので、後側板４１ａの第１係合片４３をスムーズに席番プレートホルダー５０の開口９３箇所まで侵入させることができる。
【００４６】
そして、この状態からさらに席番プレートホルダー５０を後側板４１ａ側に略水平移動させると、図７（Ｂ）に示すように、第１係合片４３が完全に開口９３を封鎖して、基板４７の外面４７ａと上面板６０の内面６０ａが当接し、第１係合片４３の底面４３ｃと下面板７０の内面７０ａが当接した状態となる。さらに、この状態では、第２係合片４５の底面４５ｃと下面板７０の内面７０ａも当接した状態となっている。
【００４７】
ここで、この第１係合片４３が開口９３を封鎖するとき、下面板７０は、後側板４１ａ（第１係合片４３及び第２係合片４５）からの下向きの押圧力により、図７（Ｂ）の二点鎖線で示すように、連結部８３を支点として反時計回り(図７（Ｂ）の矢印Ｅ方向)に回動して弾性変形し、この弾性変形した状態では、下面板７０は、ほぼ水平状態を維持している。
【００４８】
そして、図７（Ｂ）に示す状態から、第１係合片４３及び第２係合片４５の底面４３ｃ及び底面４５ｃに対して、下面板７０の内面７０ａを摺動させるようにして、且つ、基板４７の外面４７ａに対して、上面板６０の内面６０ａを摺動させるようにして、席番プレートホルダー５０を後側板４１ａ側にさらに略水平移動させると、席番プレートホルダー５０は後側板４１ａと完全に嵌合し、図７（Ｃ）に示した状態となる。
【００４９】
この図７（Ｃ）に示す状態では、第１係合片４３の外側面４３ａと連結板８０の内面８０ａが当接し、第１係合片４３の内側面４３ｂの下端部と下面板７０の突起７３が係合した状態となる。さらに、この状態では、基板４７の外面４７ａと上面板６０の内面６０ａが当接し、第１係合片４３の底面４３ｃと下面板７０の内面７０ａ及び第２係合片４５の底面４５ｃと下面板７０の内面７０ａも当接した状態となっている。これにより、席番プレートホルダー５０の後側板４１ａへの取り付けは、完了したことになる。そして、この状態では、席番プレートホルダー５０に挿入された席番プレート９０は、座体１１と平行の略水平状に配置された状態となっている。
【００５０】
ここで、図７（Ｂ）に示す状態から図７（Ｃ）に示す状態へ移行する過程で、突起７３により席番プレートホルダー５０は次のように作用する。即ち、第１係合片４３の底面４３ｃに対して下面板７０の内面７０ａが摺動し、突起７３が第１係合片４３の外側面４３ａと当接する位置まで移動する。つまり、この状態では、略水平移動してきた席番プレートホルダー５０は、一旦、突起７３が第１係合片４３の外側面４３ａと当接することで停止する。そして、この状態からさらに席番プレートホルダー５０を略水平移動させると、第１係合片４３の底面４３ｃが、突起７３上に載置し、換言すれば、突起７３が第１係合片４３の底面４３ｃの下に潜り込み、これにより、下面板７０は、第１係合片４３からの下向きの押圧力により、ほぼ水平状態からさらに連結部８３を支点として反時計回り(図７（Ｂ）の矢印Ｅ方向)に回動して、略弓なり状に弾性変形する。
【００５１】
第１係合片４３の底面４３ｃが突起７３上に載置する（突起７３が第１係合片４３の底面４３ｃの下に潜り込む）際、突起７３は蒲鉾状に形成されており、一方第１係合片４３の底面４３ｃは、突起７３と対称状の略逆蒲鉾状に形成されていることにより、あまり大きな力を要することなく、底面４３ｃと突起７３は、互いに滑り合うようにスムーズに移動する。
【００５２】
そして、第１係合片４３の底面４３ｃが突起７３を乗り越えると、上面板６０の内面６０ａが基板４７の外面４７ａに、連結板８０の内面８０ａが第１係合片４３の外側面４３ａに、それぞれピッタリと当接し、突起７３が第１係合片４３を係止する。それと共に、略弓なり状に弾性変形していた下面板７０は、弾性復帰して再びほぼ水平状態を維持し、第２係合片４５の底面４５ｃに下面板７０の内面７０ａが再び当接する。これにより、席番プレートホルダー５０は、しっかりと嵌合し、後側板４１ａに装着される。つまり、この状態では、席番プレートホルダー５０は、突起７３以外にも、内面６０ａ、７０ａ、８０ａによる摩擦力が働き、これらによっても後側板４１ａに強固且つ確実に装着されることになる。
【００５３】
なお、席番プレートホルダー５０を後側板４１ａから取り外すには、席番プレートホルダー５０を後側板４１ａと反対側に略水平移動すればよい。これにより、席番プレートホルダー５０が上述した説明と反対に作用し、その結果、容易に席番プレートホルダー５０を後側板４１ａから取り外すことができる。
【００５４】
４．本実施形態の効果
（１）本実施形態の椅子１は、席番プレートホルダー５０が座体１１の後側板４１ａに着脱自在に取り付けられ、席番プレートホルダー５０が装着された状態であっても座体１１のスタッキングに影響する形状は殆ど変化しない（特に席番プレートホルダー５０の上面板６０が座体１１の重合部分に干渉しない）ので、椅子１のスタッキング機能に支障することがなく、その結果、収納効率が低下することがない。
【００５５】
（２）席番プレートホルダー５０を椅子１に取り付けた状態では、席番プレート９０が座体１１と平行の略水平状に設置されるので、その結果、特に立っている人から席番表示が見え易くなる。
【００５６】
（３）席番プレートホルダー５０は、略水平方向に移動するだけのワンタッチ作業で座体１１の後側板４１ａに着脱自在に取り付けることができるので、席番プレートホルダー５０の椅子１への着脱作業が極めて容易となり、その結果、多目的に使用されるホール等で規定の席順で椅子１を設置する作業や、逆に席番プレートホルダー５０を椅子１から取り外す作業の効率が極めてよくなる。
【００５７】
（４）席番プレートホルダー５０が座体１１に取り付けられているので、椅子１を移動するとき等に、席番プレートホルダー５０を持ったり、握ったりして人の手に触れることが殆どなく（さらに、本実施形態の椅子１では、移動用に人が手を差し込んだりする上空間３５や下空間３９が形成されている）、その結果、席番プレートホルダー５０が椅子１から外れたり壊れたりすることがない。
【００５８】
（５）座体１１は、製造時の金型割り方向は、着座面１１ａに対して垂直方向（椅子１の上下方向）になり、席番プレートホルダー５０を取り付ける場合であっても、何らその他の方向に対する当該金型のスライド機構は必要なく成型することができるので、その結果、製造コストが安価にすみ経済的となる。
【００５９】
以上、本発明の実施形態に係わる椅子１を図面に基づいて説明してきたが、具体的な構成は実施形態に示したものに限定されるものではなく、本発明の要旨を逸脱しない範囲における変更や追加などがあっても本発明に含まれる。
【００６０】
例えば、上述した実施形態においては、席番プレートホルダー５０の席番プレート９０を挿入する上面板６０の形状は、矩形状に形成したものを用いたが、これは、図８（Ａ）に示す前側両端が円弧状の上面板６０Ａを用いた席番プレートホルダー５０Ａや、図８（Ｂ）に示す略半円状の上面板６０Ｂを用いた席番プレートホルダー５０Ｂや、図８（Ｃ）に示す左右側の半円状部が下面板７０から突出した上面板６０Ｃを用いた席番プレートホルダー５０Ｃとしてもよい。なお、図８は、他の実施形態の上面板６０Ａ、６０Ｂ、６０Ｃを用いた席番プレートホルダー５０Ａ、５０Ｂ、５０Ｃの平面図である。また、図示していないが、下面板７０や席番プレート９０も矩形状に限らず、半円状や三角形、多角形等、種々の形状のものを用いるようにしてもよいし、連結板８０の側面視形状も、直線状に限らず、円弧状や曲線、波線等、種々の線状のものを用いるようにしてもよい。このようにすれば、椅子１のデザインに合わせて、様々な意匠の席番プレートホルダーや席番プレートを取り付けることができる。
【００６１】
また、下面板７０に設けた突起７３は、左右両端付近を除く所定区間に一連状に１個形成したが、この突起７３は、一連状でなく、複数の突起を一連状に列設するように形成してもよい。また、突起７３は、第１係合片４３に係合するものを示したが、さらに第２係合片４５に係合する突起を加えるようにしてもよい。このようにすれば、より強固に席番プレートホルダー５０を座体１１（後側板４１ａ）に取り付けることが可能になる。
【００６２】
また、上面板６０の表面側には、切欠凹部６３を形成して席番プレートホルダー５０Ｃに挿入した席番プレート９０が直に見られるようにしたが、これは、切欠凹部６３の表面に席番プレート９０を覆って保護する透明板（例えばセルロイド等のプラスチック）を介在させるようにしてもよい。
【００６３】
また、座体１１を構成する樹脂成型の側板４１やポリエステルメッシュの着座面１１ａは、その他の材質を用いるようにしてもよい。例えば、金属や木を使用してもよいし、クッションなどを組み合わせてもよい。また、席番プレート９０の材質も、合成樹脂や金属、木等を使用してもよく、その他の材質も種々用いるようにしてもよい。さらに、脚部材１５も金属製に限らず、硬質樹脂や木を使用してもよく、背もたれ１３についても樹脂成型に限らず、座体１１と同様に、金属や木を使用してもよいし、クッションなどを組み合わせてもよい。
【符号の説明】
【００６４】
１…椅子、  １１…座体、
１１ａ…着座面、  １３…背もたれ、
１３ａ…背もたれ部、  １５…脚部材、
２１…左フレーム、  ２３…右フレーム、
２５、２７…架橋部、  ３１…固定部、
３３…上板、  ３５…上空間、
３７…支柱、  ３９…下空間、
４１…側板、  ４１ａ…後側板、
４３…第１係合片、  ４３ａ…外側面、
４３ｂ…内側面、  ４３ｃ、４５ｃ…底面、
４５…第２係合片、  ４７…基板、
４７ａ…外面、  ５０、５０Ａ、５０Ｂ、５０Ｃ…席番プレートホルダー、
６０、６０Ａ、６０Ｂ、６０Ｃ…上面板、  ６０ａ、７０ａ、８０ａ…内面、
６１…挿入口、  ６３…切欠凹部、
７０…下面板、  ７１…誘導片、
７３…突起、  ８０…連結板、
８３…連結部、  ９０…席番プレート、
９３…開口。
【図１】
2013172914.tif 000003
【図２】
2013172914.tif 000004
【図３】
2013172914.tif 000005
【図４】
2013172914.tif 000006
【図５】
2013172914.tif 000007
【図６】
2013172914.tif 000008
【図７】
2013172914.tif 000009
【図８】
2013172914.tif 000010